(57)【要約】【課題】  鍵の横ぶれを確実に防ぎ、押鍵時に鍵に所定の負荷を安定して付与できる鍵盤装置を提供する。【解決手段】  鍵盤シャーシ１上に上下方向に回動可能に配置された鍵２の横ぶれを阻止する鍵ガイド部６が、鍵２の内部に挿入して鍵２の前後方向に弾性変形する弾性部材３０と、この弾性部材３０の両側部に設けられて鍵の横方向に位置する両側の内壁面２ｂにそれぞれ接触して摺動する摺動部３１と、弾性部材３０の先端部に設けられて鍵の前後方向に位置する内壁面２ａに弾性部材３０の弾性力によって弾接して摺動する摩擦部３２とを備えている。従って、鍵ガイド部６の摺動部３１によって鍵２の横ぶれを確実に防ぐことができ、また鍵ガイド部６の摩擦部３２によって押鍵時に鍵２に摩擦抵抗を確実に且つ安定して付与することができる。【選択図】        図１
2008145819.tif 000002
【特許請求の範囲】
【請求項１】
鍵盤シャーシと、この鍵盤シャーシ上に上下方向に回動可能に配置された複数の鍵と、前記鍵盤シャーシ上に設けられて前記複数の鍵の横ぶれをそれぞれ阻止する複数の鍵ガイド部とを備えた鍵盤装置において、
前記鍵ガイド部は、前記鍵の内部に挿入した状態で前記鍵の前後方向に弾性変形する弾性部材と、この弾性部材の両側部に設けられて前記鍵の横方向に位置する両側の内壁面にそれぞれ接触して摺動する摺動部と、前記弾性部材の先端部に設けられて前記鍵の前後方向に位置する内壁面に前記弾性部材の弾性力によって弾接して摺動する摩擦部とを備えていることを特徴とする鍵盤装置。
【請求項２】
前記弾性部材は、前記鍵盤シャーシ上に一体に形成されて前記鍵の内部に挿入した状態で前記鍵の前後方向に弾性変形する弾性支持部と、この弾性支持部の外面に被着されたガイドキャップとを備え、
前記摺動部は、前記ガイドキャップにおける前記弾性支持部の両側部に対応する箇所に設けられており、
前記摩擦部は、前記ガイドキャップにおける前記弾性支持部の先端部に対応する箇所に設けられ、前記鍵の前後方向に位置する内壁面に前記弾性支持部の弾性力によって弾接することを特徴とする請求項１に記載の鍵盤装置。
【請求項３】
前記弾性部材は、前記鍵盤シャーシ上に一体に形成されて前記鍵の内部に挿入する支持部と、この支持部の外面にその上方に突出した状態で被着された弾性材料からなるガイドキャップとを備え、
前記摺動部は、前記ガイドキャップにおける前記弾性支持部の両側部に対応する箇所に設けられており、
前記摩擦部は、前記ガイドキャップにおける前記支持部の上方に突出した箇所に設けられ、前記鍵の前後方向に位置する内壁面に前記ガイドキャップの弾性力によって弾接することを特徴とする請求項１に記載の鍵盤装置。
【請求項４】
前記鍵の前後方向に位置する内壁面には、前記鍵ガイド部の前記摩擦部が弾接しながら摺動する摩擦部材が設けられていることを特徴とする請求項１〜３のいずれかに記載の鍵盤装置。
【請求項５】
前記鍵の前後方向に位置する内壁面側には、押鍵操作時に前記鍵にクリック感を付与するためのクリック部が設けられていることを特徴とする請求項１〜４のいずれかに記載の鍵盤装置。
【請求項６】
前記鍵盤シャーシ上に配列された前記複数の鍵は、低音領域側と高音領域側とで前記鍵の前後方向に位置する内壁面と前記鍵ガイド部の前記摩擦部との間に生じる摩擦抵抗が異なることを特徴とする請求項１〜５のいずれかに記載の鍵盤装置。
【発明の詳細な説明】
【技術分野】
【０００１】
この発明は、電子ピアノなどの電子鍵盤楽器に用いられる鍵盤装置に関する。
【背景技術】
【０００２】
従来、電子ピアノなどの電子鍵盤楽器においては、鍵盤シャーシ上に上下方向に回動可能に配置された複数の鍵の横ぶれを阻止するための鍵ガイド部を備えている。この鍵ガイド部は、特許文献１に記載されているように、鍵の内部に挿入されて鍵の両側の内壁面沿って弾性変形しながら摺動する一対の弾性摺動部を備えたものが知られている。
【特許文献１】実開平０３−１１７２８８号
【０００３】
すなわち、この鍵ガイド部は、一対の弾性摺動部がほぼは半円筒形状をなすように湾曲して形成されている。この場合、鍵は、その内部における横方向（つまり鍵の配列方向）に位置する両側の内壁面が下部側から上部側に向けて緩やかに湾曲しながら次第に狭くなるほぼ逆Ｕ字形状に形成されている。これにより、鍵ガイド部は、鍵が上方から押し下げられるときに、一対の弾性摺動部が鍵の両側の内壁面に沿って相対的に摺動しながら徐々に弾性変形することにより、鍵に負荷を付与して鍵荷重を重くするように構成されている。
【発明の開示】
【発明が解決しようとする課題】
【０００４】
しかしながら、このような従来の電子鍵盤楽器における鍵ガイド部では、鍵を押し下げたときに、鍵ガイド部が鍵をガイドしながら鍵に負荷を与えて鍵荷重を重くすることができても、押鍵時に一対の弾性摺動部が鍵の両側の内壁面を摺動しながら弾性変形するため、鍵の横ぶれを確実に阻止することができないばかりか、一対の弾性摺動部の形状および鍵の内部の形状が複雑であり、その製作が面倒で手間がかかるという問題がある。
【０００５】
なお、このような問題を防ぐために、従来の電子鍵盤楽器においては、鍵ガイド部を平板状に形成し、この鍵ガイド部を鍵の内部に挿入して、鍵ガイド部の両側面を鍵の両側の内壁面に接触させて摺動させると共に、その接触面間にグリスなどの潤滑剤を設け、この潤滑剤の粘性による摩擦抵抗によって鍵に負荷を与えることが考えられている。
【０００６】
しかし、このような構成の鍵ガイド部では、鍵の横ぶれを確実に阻止することができても、押鍵操作時に鍵ガイド部によって鍵に負荷を与えて鍵荷重を十分に重くすることができないばかりか、グリスなどの潤滑剤が経年変化によって蒸発したり消失したりするため、長期間使用すると、鍵タッチが著しく低下するという問題がある。
【０００７】
この発明が解決しようとする課題は、鍵の横ぶれを確実に防ぐことができると共に、押鍵時に鍵に所定の負荷を安定して付与することができる鍵盤装置を提供することである。
【課題を解決するための手段】
【０００８】
この発明は、上記課題を解決するために、次のような構成要素を備えている。
請求項１に記載の発明は、鍵盤シャーシと、この鍵盤シャーシ上に上下方向に回動可能に配置された複数の鍵と、前記鍵盤シャーシ上に設けられて前記複数の鍵の横ぶれをそれぞれ阻止する複数の鍵ガイド部とを備えた鍵盤装置において、
前記鍵ガイド部は、前記鍵の内部に挿入した状態で前記鍵の前後方向に弾性変形する弾性部材と、この弾性部材の両側部に設けられて前記鍵の横方向に位置する両側の内壁面にそれぞれ接触して摺動する摺動部と、前記弾性部材の先端部に設けられて前記鍵の前後方向に位置する内壁面に前記弾性部材の弾性力によって弾接して摺動する摩擦部とを備えていることを特徴とする鍵盤装置である。
【０００９】
請求項２に記載の発明は、前記弾性部材が、前記鍵盤シャーシ上に一体に形成されて前記鍵の内部に挿入した状態で前記鍵の前後方向に弾性変形する弾性支持部と、この弾性支持部の外面に被着されたガイドキャップとを備え、
前記摺動部は、前記ガイドキャップにおける前記弾性支持部の両側部に対応する箇所に設けられており、
前記摩擦部は、前記ガイドキャップにおける前記弾性支持部の先端部に対応する箇所に設けられ、前記鍵の前後方向に位置する内壁面に前記弾性支持部の弾性力によって弾接することを特徴とする請求項１に記載の鍵盤装置である。
【００１０】
請求項３に記載の発明は、前記弾性部材が、前記鍵盤シャーシ上に一体に形成されて前記鍵の内部に挿入する支持部と、この支持部の外面にその上方に突出した状態で被着された弾性材料からなるガイドキャップとを備え、
前記摺動部は、前記ガイドキャップにおける前記弾性支持部の両側部に対応する箇所に設けられており、
前記摩擦部は、前記ガイドキャップにおける前記支持部の上方に突出した箇所に設けられ、前記鍵の前後方向に位置する内壁面に前記ガイドキャップの弾性力によって弾接することを特徴とする請求項１に記載の鍵盤装置である。
【００１１】
請求項４に記載の発明は、前記鍵の前後方向に位置する内壁面に、前記鍵ガイド部の前記摩擦部が弾接しながら摺動する摩擦部材が設けられていることを特徴とする請求項１〜３のいずれかに記載の鍵盤装置である。
【００１２】
請求項５に記載の発明は、前記鍵の前後方向に位置する内壁面側に、押鍵操作時に前記鍵にクリック感を付与するためのクリック部が設けられていることを特徴とする請求項１〜４のいずれかに記載の鍵盤装置である。
【００１３】
請求項６に記載の発明は、前記鍵盤シャーシ上に配列された前記複数の鍵における低音領域側と高音領域側とで、前記鍵の前後方向に位置する内壁面と前記鍵ガイド部の前記摩擦部との間に生じる摩擦抵抗が異なることを特徴とする請求項１〜５のいずれかに記載の鍵盤装置である。  
【発明の効果】
【００１４】
この発明によれば、鍵を上方から押し下げる押鍵操作時に、鍵ガイド部の弾性部材に設けられた摺動部が鍵の横方向に位置する両側の内壁面にそれぞれ接触して摺動することにより、鍵の横ぶれを確実に防ぐことができると共に、鍵ガイド部の弾性部材が摩擦部を鍵の前後方向に位置する内壁面に弾力的に押し付け、この状態で摩擦部が鍵の前後方向に位置する内壁面に弾接して摺動することにより、摩擦部が鍵に摩擦抵抗を確実に且つ安定して付与することができる。このため、鍵の横ぶれを確実に防ぐことができると共に、押鍵時に鍵に所定の負荷を安定して付与することができ、これにより鍵荷重を重くすることができると共に、長期間に亘って鍵タッチをほぼ一定に保つことができる。
【発明を実施するための最良の形態】
【００１５】
（実施形態１）
以下、図１〜図４を参照して、この発明を適用した鍵盤装置の実施形態１について説明する。
この鍵盤装置は、図１および図２に示すように、合成樹脂製の鍵盤シャーシ１と、この鍵盤シャーシ１上に上下方向に回動可能に設けられた合成樹脂製の複数の鍵２（白鍵と黒鍵、ただしこの実施形態１では白鍵について説明する。）と、この複数の鍵２にそれぞれアクション荷重を付与する複数のハンマー部材３と、各鍵２の押鍵操作に応じてそれぞれオン信号を出力するスイッチ部４とを備えている。
【００１６】
鍵盤シャーシ１は、楽器本体の本体ケースであり、この鍵盤シャーシ１の前端部（図１では右端部）には、図１および図２に示すように、鍵２の前端部に対応する前側搭載部５が底部から上方に突出して設けられている。この前側搭載部５上には、鍵２の前端部内に挿入して鍵２の横振れを防ぐための鍵ガイド部６が上方に突出して設けられている。また、この鍵盤シャーシ１の中間部には、中間搭載部７が前側搭載部５よりも少し低く設けられている。この中間搭載部７上には、ハンマー支持部１４が設けられており、このハンマー支持部１４には、ハンマー部材３を上下方向に回動可能に支持するための支持軸１５が設けられている。
【００１７】
また、この中間搭載部７における後部側には、前側立上り部８が底部から前側搭載部５よりも少し高く設けられており、この鍵盤シャーシ１の後端部には、後側立上り部９が底部から前側搭載部５よりも高く設けられている。この鍵盤シャーシ１の前側立上り部８と後側立上り部９との上部間には、図１および図２に示すように、後側搭載部１０が段差をもって設けられている。この後側搭載部１０の前側上部には、スイッチ基板１１が取り付けられており、このスイッチ基板１１上には後述するスイッチ部４が設けられている。
【００１８】
さらに、この後側搭載部１０の後側上部（図１では左側上部）上には、鍵支持部１２が上方に突出して設けられており、この鍵支持部１２には、鍵２の後端部を回動可能に支持するための鍵支持軸１３が設けられている。さらに、この後側搭載部１０の後方に位置する鍵盤シャーシ１の後端部（図１では左端下部）には、図１および図２に示すように、その底部から鍵２の後端部を覆うカバーケース１６が設けられており、このカバーケース１６内には、スピーカ１７が設けられている。
【００１９】
鍵２は、図１および図２に示すように、細長いほぼ角筒形状をなし、その内部が中空で下側に開放された断面矩形状に形成され、その内部における前端部（図１では右端部）に内壁面２ａが設けられていると共に、内部における横方向（鍵２の配列方向）の両側部に内壁面２ｂが設けられている。この鍵２は、図１および図２に示すように、その後端部（図１では左端部）の両側面に鍵取付孔部１８が設けられ、この鍵取付孔部１８が鍵盤シャーシ１の鍵支持軸１３に回動可能に取り付けられ、これにより鍵支持軸１３を中心に上下方向に回動するように構成されている。
【００２０】
また、この鍵２の中間部には、スイッチ押圧部１９が鍵盤シャーシ１上に設けられたスイッチ基板１１のスイッチ部４に対応して設けられている。このスイッチ押圧部１９の前部側には、ハンマー部材３の先端部（図１では右端部）に設けられた後述するハンマー当接部２７を保持するハンマー連結部２０が鍵盤シャーシ１の中間搭載部７の上面に向けて延出されて設けられている。
【００２１】
この場合、スイッチ部４は、図１および図２に示すように、スイッチ基板１１の上面に配置されたゴムシートを備えている。このゴムシートには、ドーム状の膨出部が各鍵２のスイッチ押圧部１９にそれぞれ対応して形成されている。この膨出部内には、高さの異なる一対の可動接点が設けられており、これに対応するスイッチ基板１１上には、一対の固定接点が一対の可動接点にそれぞれ接離可能に離間対向して設けられている。これにより、スイッチ部４は、図２に示すように、押鍵操作時に鍵２のスイッチ押圧部１９によって膨出部が押圧されたときに、膨出部が弾性変形して一対の可動接点が一対の固定接点に時間差をもって順に接触することにより、鍵タッチの強さに応じたスイッチ信号を出力するように構成されている。
【００２２】
一方、ハンマー部材３は、図１および図２に示すように、金属製のハンマー本体２１と合成樹脂製のハンマーホルダ２２とを有し、このハンマーホルダ２２がハンマー本体２１のほぼ前側部（図１では右側部）のホルダ取付部２３に取り付けられ、この状態でハンマーホルダ２２が、鍵盤シャーシ１の前側立上り部８に設けられた開口部８ａを通して、鍵盤シャーシ１の中間搭載部７上に設けられたハンマー支持部１４の支持軸１５に回動自在に保持されるように構成されている。この場合、ホルダ取付部２３は、後部側（図１では左側）に開放されたほぼコ字形状に形成されている。また、ハンマー本体２１の後端部（図１では左端部）には、錘部２４が設けられている。
【００２３】
これにより、ハンマー部材３は、そのハンマー本体２１が錘部２４の重量によって図１において反時計回りに付勢されて、ハンマー本体２１の後端部が鍵盤シャーシ１の後端底部に設けられたフェルトなどの下限ストッパ２５に当接することにより、ハンマー本体２１が下限位置に規制されるように構成されている。また、このハンマー部材３は、ハンマー本体２１が錘部２４の重量に抗して時計回りに回動したときに、図２に示すように、ハンマー本体２１の後端部が鍵盤シャーシ１の後側搭載部１０における後端下面に配置されたフェルトなどの上限ストッパ２６に当接することにより、ハンマー本体２１が上限位置に規制されるように構成されている。
【００２４】
また、このハンマー部材３は、図１および図２に示すように、ハンマー本体２１の前端部（図１では右端部）が鍵盤シャーシ１の前側立上り部８に設けられた開口部８ａを通して中間搭載部７の上方に突出し、この突出した先端部にハンマー当接部２７が設けられ、このハンマー当接部２７が鍵２のハンマー連結部２０内に摺動可能に挿入されて保持され、これによりハンマー本体２１が鍵２の押鍵動作に連動してハンマー支持部１４の支持軸１５を中心に上下方向に回動するように構成されている。この場合、ハンマー当接部２７は、その上面が円弧状に形成され、筒状に形成されたハンマー連結部２０内に挿入することにより、ハンマー当接部２７の円弧状の上面が筒状のハンマー連結部２０の上部内面に線接触状態で摺動するように構成されている。
【００２５】
ハンマーホルダ２２は、図１および図２に示すように、鍵盤シャーシ１の中間搭載部７の上面に設けられたハンマー支持部１４に回動可能に保持される軸受部２８と、この軸受部２８をハンマー本体２１のホルダ取付部２３に装着する装着部２９とを備えている。軸受部２８は、図１および図２に示すように、全体がほぼ逆Ｃ字形状に形成され、その中心部にハンマー支持部１４の支持軸１５が回動可能に挿入するように構成されている。装着部２９は、全体がほぼコ字形状に形成され、その内部に軸受部２８が一体に設けられた構成になっている。
【００２６】
ところで、鍵２の横ぶれを防ぐための鍵ガイド部６は、図３および図４に示すように、鍵盤シャーシ１の前側搭載部５上に設けられた弾性部材３０と、この弾性部材３０の両側部に設けられた摺動部３１と、弾性部材３０の先端部に設けられた摩擦部３２とを備えている。この場合、弾性部材３０は、鍵盤シャーシ１の前側搭載部５上に一体に形成されて鍵２の内部に挿入する弾性支持部３３と、この弾性支持部３３に被着されたガイドキャップ３４とを備えている。
【００２７】
弾性支持部３３は、図３および図４に示すように、鍵２の内部における横幅（つまり鍵２の配列方向である横方向の幅）とほぼ同じ横幅のほぼ平板状に形成され、その上部が鍵２の前側（図３では右側）に向けて湾曲形成され、この湾曲された上部が、鍵２の前側の内壁面２ａに接近した状態で、鍵２の横方向（図４では左右方向）には変形せず、鍵２の前後方向（図３では左右方向）のみに弾性変形すると共に、その先端部が鍵２の前側の内壁面２ａに向けて弾力的に摩擦部３２を付勢するように構成されている。
【００２８】
また、ガイドキャップ３４は、ゴムやエラストマなどの弾性材料からなり、図３および図４に示すように、弾性支持部３３の外周面に被着され、その下端部３４ａが鍵盤シャーシ１の前側搭載部５の上面に配置されて鍵２の下限位置を規制する下限ストッパを兼ねるように構成されている。このガイドキャップ３４における弾性支持部３３の幅方向の両側に位置する部分には、図４に示すように、摺動部３１が形成されている。この摺動部３１は、鍵２の内部における横方向に位置する両側の内壁面２ｂに接触して摺動するように構成されている。
【００２９】
また、このガイドキャップ３４の上部に位置する先端部には、図３および図４に示すように、摩擦部３２が弾性支持部３３の先端に対応して設けられている。この摩擦部３２は、鍵２の内部における前側の内壁面２ａに弾接して摺動するように構成されている。すなわち、この摩擦部３２は、図３および図４に示すように、弾性支持部３３の弾性力によって鍵２の前側の内壁面２ａに弾力的に押し付けられ、この状態で鍵２が押鍵されたときに、所定の摩擦抵抗をもって鍵２の前側の内壁面２ａを摺動するように構成されている。
【００３０】
次に、このような鍵盤装置の作用について説明する。
通常は、図１に示すように、ハンマー部材３がハンマー本体２１の錘部２４の重量によってハンマー支持部１４の支持軸１５を中心に図１において反時計回りに付勢され、これによりハンマー本体２１の後端部が下限ストッパ２５に当接してハンマー部材３が下限位置に規制されている。このときには、ハンマー本体２１のハンマー当接部２７が鍵盤２のハンマー連結部２０内に移動可能に挿入されて保持された状態で、ハンマー当接部２７が上限に位置することにより、このハンマー当接部２７によって鍵２が押し上げられて上限位置に規制されている。
【００３１】
この状態で、ハンマー本体２１の錘部２４の重量に抗して鍵２を押鍵すると、その鍵２が鍵盤シャーシ１の後端部の鍵支持軸１３を中心に図１において時計回りに回動する。このときには、鍵２が鍵ガイド部６によってガイドされるので、鍵２が横振れすることなく、所定の摩擦力をもって円滑に回動して鍵２のハンマー連結部２０が下方に移動する。これにより、ハンマー連結部２０内に挿入されたハンマー本体２１のハンマー当接部２７が押し下げられる。
【００３２】
これに伴って、ハンマー当接部２７がハンマー連結部２０内を摺動しながら、ハンマー本体２１がハンマーホルダ２２の軸受部２８に挿入されたハンマー支持部１４の支持軸１５を中心に図１において時計回りに回動する。このように、鍵２が押されてハンマー部材３が回動し始めると、鍵荷重が急激に重くなり、鍵２がある程度押し下げられると、鍵荷重がほぼ一定になり、更に鍵２が押し下げられると、鍵２のスイッチ押圧部１９がスイッチ部４を押圧し、鍵２が最も押し下げられると、ハンマー部材３が上限ストッパ２６に当接するので、鍵荷重が再び重くなる。
【００３３】
これにより、鍵２にハンマー部材３の錘部２４の重量に応じたアクション荷重が付与されるので、アコースティックピアノの鍵タッチ感に近似した鍵タッチ感が得られる。なお、離鍵時には、ハンマー本体２１の錘部２４の重量によってハンマー部材３が図２において反時計回りに回動し、これに伴って鍵２が反時計回りに回動して、図１に示す初期位置に戻る。
【００３４】
このように、この鍵盤装置によれば、鍵盤シャーシ１上に上下方向に回動可能に配置された鍵２の横ぶれを阻止する鍵ガイド部６が、鍵２の内部に挿入して鍵２の前後方向に弾性変形する弾性部材３０と、この弾性部材３０の両側部に設けられて鍵２の横方向に位置する両側の内壁面２ｂにそれぞれ接触して摺動する摺動部３１と、弾性部材３０の先端部に設けられて鍵２の前側に位置する内壁面２ａに弾性部材３０の弾性力によって弾接して摺動する摩擦部３２とを備えているので、押鍵時に鍵２の横ぶれを確実に防ぐことができると共に、摩擦部３２によって鍵２に摩擦抵抗を安定して付与することができる。
【００３５】
すなわち、この鍵盤装置によれば、鍵２を上方から押し下げる押鍵時に鍵ガイド部６の摺動部３１が鍵２の内部における横方向の両側の内壁面２ｂにそれぞれ接触して摺動することにより、鍵２の横ぶれを確実に防ぐことができる。また、これと同時に鍵ガイド部６が摩擦部３２を鍵２の前側の内壁面２ａに弾力的に押し付け、この状態で摩擦部３２が鍵２の前側の内壁面２ａに弾接して摺動することにより、この摩擦部３２によって鍵２に摩擦抵抗を確実に且つ安定して付与することができる。
【００３６】
この場合、鍵ガイド部６は、弾性部材３０が、鍵盤シャーシ１上に一体に形成されて鍵２の内部に挿入した状態で鍵２の前後方向に弾性変形する弾性支持部３３と、この弾性支持部３３の外周面に被着されたガイドキャップ３４とを備え、摺動部３１が弾性支持部３３の横方向における両側部に位置するガイドキャップ３４の両側に設けられ、摩擦部３２が弾性支持部３３の先端部に対応するガイドキャップ３４の先端に設けられて、弾性支持部３３の弾性力によって鍵２の前側に位置する内壁面２ａに弾接するので、弾性支持部３３の弾性力によって摩擦部３２を鍵２の前側の内壁面２ａに確実に押し付けることができ、これにより押鍵時における摩擦部３２の摩擦抵抗を安定して発生させることができると共に、長期間に亘って鍵タッチをほぼ一定に保つことができる。
【００３７】
このため、押鍵時に摩擦部３２の摩擦抵抗によって鍵２に所定の負荷を与えることができるので、押鍵時における鍵タッチを重くすることができ、その分、ハンマー部材３における錘２４の重量を軽くすることができると共に、鍵盤装置全体の重量を大幅に軽くすることができる。また、この鍵ガイド部６によれば、弾性部材３０の弾性支持部３３にガイドキャップ３４を被着するだけで、簡単且つ容易に摺動部３１および摩擦部３２を弾性部材３０に設けることができるばかりか、鍵２の内部に加工を施したり、鍵２の内部形状が複雑になったりしないため、容易に製作することができ、またグリスなどの潤滑剤を用いていないので、経年変化によって鍵タッチが低下せず、長期間に亘って鍵タッチをほぼ一定に保つことができる。
【００３８】
（実施形態２）
次に、図５を参照して、この発明を適用した鍵盤装置の実施形態２について説明する。なお、図１〜図４に示された実施形態１と同一部分には同一符号を付して説明する。
この鍵盤装置は、鍵２の前側に位置する内壁面２ａに摩擦シート３５を設け、この摩擦シート３５に鍵ガイド部６の摩擦部３２が弾接して摺動する構成であり、これ以外は実施形態１と同じ構成になっている。すなわち、摩擦シート３５は、摩擦係数の高い材料、例えば鍵ガイド部６の摩擦部３２と同じゴムやエラストマなどの材料からなり、鍵２の前側に位置する内壁面２ａにおけるほぼ全面に設けられている。
【００３９】
このような鍵盤装置においても、実施形態１と同様の作用効果があるほか、鍵２の前側に位置する内壁面２ａに摩擦シート３５を設け、この摩擦シート３５に鍵ガイド部６の摩擦部３２が弾接して摺動する構成であるから、押鍵時に弾性支持部３３の弾性力によって摩擦部３２が鍵２の前側の内壁面２ａに設けられた摩擦シート３５に押し付けられて摺動するので、摩擦部３２と摩擦シート３５とによって摩擦抵抗を実施形態１よりも大きくすることができ、これにより押鍵時における鍵タッチを更に重くすることができるので、実施形態１よりもハンマー部材３における錘２４の重量を軽くすることができ、より一層、鍵盤装置全体の重量を軽くすることができる。
【００４０】
（実施形態３）
次に、図６および図７を参照して、この発明を適用した鍵盤装置の実施形態３について説明する。この場合にも、図１〜図４に示された実施形態１と同一部分に同一符号を付して説明する。
この鍵盤装置は、鍵２の前側に位置する内壁面２ａ側に押鍵時に鍵２にクリック感を付与するためのクリック部３６を設けた構成であり、これ以外は実施形態１と同じ構成になっている。この場合、鍵２の前側に位置する内壁面２ａには、実施形態２と同様、摩擦シート３５が設けられている。
【００４１】
クリック部３６は、摩擦シート３５に設けられて鍵ガイド部６の摩擦部３２が挿脱可能に嵌入する凹部形状に形成され、鍵２の前側の内壁面２ａにおける上部、つまり鍵２が押鍵されてスイッチ押圧部１９がスイッチ基板１１のスイッチ部４を押圧して変形させたときに、鍵ガイド部６の摩擦部３２が嵌入する位置に設けられている。なお、クリック部３６は、摩擦シート３５のみに設けられている必要はなく、鍵２の前側の内壁面２ａに亘って設けられていても良く、また摩擦シート３５が設けられていない場合には、鍵２の前側の内壁面２ａのみに設けられていても良い。
【００４２】
このような鍵盤装置では、図７に示すように、鍵２が押鍵されて、ハンマー部材３がハンマー支持部１４の支持軸１５を中心に錘２４の重量に抗して回動するときに、図７のａ線で示すように、鍵荷重が急激に重くなり、この状態で鍵２のスイッチ押圧部１９がスイッチ基板１１のスイッチ部４を押圧して変形させるときに、図７のｂ線で示すように、鍵荷重が少し重くなる。
【００４３】
この後、鍵ガイド部６の摩擦部３２が鍵２の前側の内壁面２ａに設けられたクリック部３６に嵌入すると、図７のｃ線で示すように、鍵荷重が急激に重くなり、鍵ガイド部６の摩擦部３２が鍵２の前側の内壁面２ａに設けられたクリック部３６から離脱すると、図７のｄ線で示すように、鍵荷重が急激に軽くなり、これにより押鍵時に鍵荷重が急激に抜ける感じの鍵タッチが得られる。この後は、ハンマー部材３の後端部が上限ストッパ２６に当接するので、図７のｅ線で示すように、再び鍵荷重が急激に重くなる。
【００４４】
このように、この鍵盤装置によれば、実施形態１、２と同様の作用効果があるほか、鍵２の前側に位置する内壁面２ａの摩擦シート３５または鍵２の内壁面２ａに、押鍵時に鍵２にクリック感を付与する凹部形状のクリック部３６を設けた構成であるから、鍵ガイド部６の摩擦部３２が鍵２の前側の内壁面２ａに設けられたクリック部３６に嵌入すると、鍵荷重が急激に重くなり、鍵ガイド部６の摩擦部３２が鍵２の前側の内壁面２ａに設けられたクリック部３６から離脱すると、鍵荷重が急激に軽くなり、これにより押鍵時に鍵荷重が急激に抜ける感じの鍵タッチを得ることができ、より一層、アコ―スティックピアノに近似した鍵タッチを得ることができる。
【００４５】
なお、上記実施形態３では、鍵２の前側に位置する内壁面２ａ側に、押鍵時に鍵２にクリック感を付与するための凹部形状のクリック部３６を設けた場合について述べたが、これに限らず、例えば鍵２の前側に位置する内壁面２ａまたは摩擦シート３５に、押鍵時に鍵２にクリック感を付与するための凸部形状のクリック部を設けても良い。このように構成しても、鍵ガイド部６の摩擦部３２が鍵２の前側の内壁面２ａ側に設けられた凸部形状のクリック部に当接すると、鍵荷重が急激に重くなり、鍵ガイド部６の摩擦部３２が鍵２の前側の内壁面２ａに設けられた凸部形状のクリック部を乗り越えると、鍵荷重が急激に軽くなり、これにより実施形態３と同様、押鍵時に鍵荷重が急激に抜ける感じの鍵タッチを得ることができる。
【００４６】
また、上記実施形態１〜３では、鍵ガイド部６が、鍵盤シャーシ１上に一体に形成されて鍵２の前後方向に弾性変形する弾性支持部３３と、この弾性支持部３３の外周面に被着されたガイドキャップ３４とを備え、このガイドキャップ３４の横方向における両側に摺動部３１を設けると共に、ガイドキャップ３４の先端に摩擦部３２を弾性支持部３３の先端に対応させて設けた場合について述べたが、必ずしも弾性支持部３３の外周面にガイドキャップ３４を被着する必要はなく、例えば弾性支持部３３の横方向における両側に摺動部３１を一体に設けると共に、弾性支持部３３の先端に摩擦部３２を一体的に設けた構成でも良い。
【００４７】
（実施形態４）
次に、図８〜図１０を参照して、この発明を適用した鍵盤装置の実施形態４について説明する。この場合にも、図１〜図４に示された実施形態１と同一部分に同一符号を付して説明する。
この鍵盤装置は、鍵ガイド部４０の弾性部材４１が実施形態１と異なる構成であり、これ以外は実施形態１と同じ構成になっている。すなわち、この鍵ガイド部４０の弾性部材４１は、図７および図８に示すように、鍵盤シャーシ１上に一体に形成されて鍵２の内部に挿入する支持部４２と、この支持部４２の外周面に被着されたガイドキャップ４３とを備えている。
【００４８】
この場合、支持部４２は、図９および図１０に示すように、鍵２の内部における横幅とほぼ同じ横幅のほぼ平板状に形成され、鍵２の前側の内壁面２ａに接近した位置にほぼ垂直に起立した状態で、鍵盤シャーシ１の前側搭載部５上に一体に形成され、鍵２の横方向（図１０では左右方向）および鍵２の前後方向（図９では左右方向）に弾性変形しないように構成されている。
【００４９】
また、ガイドキャップ４３は、実施形態１と同様、ゴムやエラストマなどの弾性材料からなり、図９に示すように、支持部４２の上端部から上方に突出した状態で、図８に示すように、支持部４２の外周面に被着されている。この場合にも、ガイドキャップ４３は、図８に示すように、その下端部４３ａが鍵盤シャーシ１の前側搭載部５の上面に配置されて鍵２の下限位置を規制する下限ストッパを兼ねるように構成されている。
【００５０】
このガイドキャップ４３における支持部４１の幅方向の両側に位置する部分には、図１０に示すように、鍵２の内部における両側の内壁面２ｂにそれぞれ接触して摺動する摺動部３１が形成されている。また、このガイドキャップ４３の上端部における前面には、図９に示すように、鍵２の前側の内壁面２ａに弾接して摺動する摩擦部３２が支持部４１の上方に位置した状態で設けられている。すなわち、この摩擦部３２は、支持部４１の上方に位置する箇所のガイドキャップ４３の弾性力によって鍵２の前側の内壁面２ａに弾力的に押し付けられ、この状態で鍵２が押鍵されたときに、所定の摩擦抵抗をもって鍵２の前側の内壁面２ａを摺動するように構成されている。
【００５１】
このような鍵盤装置によれば、鍵盤シャーシ１上に上下方向に回動可能に配置された鍵２の横ぶれを阻止する鍵ガイド部４０が、鍵２の内部に挿入して鍵２の前後方向に弾性変形する弾性部材４１と、この弾性部材４１の両側部に設けられて鍵の横方向に位置する両側の内壁面２ｂにそれぞれ接触して摺動する摺動部３１と、弾性部材４１の先端部に設けられて鍵の前側に位置する内壁面２ａに弾性部材４１の弾性力によって弾接して摺動する摩擦部３２とを備えているので、実施形態１と同様、押鍵時に鍵ガイド部４０の摺動部３１によって鍵２の横ぶれを確実に防ぐことができると共に、弾性部材４１が摩擦部３２を鍵２の前側の内壁面２ａに弾力的に押し付け、この摩擦部３２が鍵２の前側の内壁面２ａに弾接して摺動することにより、摩擦部３２が鍵２に摩擦抵抗を確実に且つ安定して付与することができる。
【００５２】
すなわち、この鍵ガイド部４０は、弾性部材４１が、鍵盤シャーシ１上に一体に形成されて鍵２の内部に挿入する支持部４２と、この支持部４２の上方に突出した状態で、支持部４２の外周面に被着されたゴムやエラストマなどの弾性材料からなるガイドキャップ４３とを備え、このガイドキャップ４３の横方向における両側に摺動部３１を設けると共に、ガイドキャップ４３の上端部における前面に摩擦部３２を支持部４２の上方に位置した状態で設けているので、弾性材料かなるガイドキャップ４３の弾性力によって摩擦部３２を鍵２の前側の内壁面２ａに確実に押し付けることができ、これにより押鍵時に摩擦部３２によって摩擦抵抗を安定して発生させることができると共に、長期間に亘って鍵タッチをほぼ一定に保つことができる。
【００５３】
このため、押鍵時に摩擦部３２の摩擦抵抗によって鍵２に所定の負荷を与えることができるので、実施形態１と同様、押鍵時における鍵タッチを重くすることができ、その分、ハンマー部材３における錘２４の重量を軽くすることができると共に、鍵盤装置全体の重量を大幅に軽くすることができる。また、この鍵ガイド部４０においても、実施形態１と同様、弾性部材４１の支持部４２にガイドキャップ４３を被着するだけで、簡単且つ容易に摺動部３１および摩擦部３２を弾性部材４１に設けることができるばかりか、鍵２の内部に加工を施したり、鍵２の内部形状が複雑になったりしないため、容易に製作することができ、またグリスなどの潤滑剤を用いていないので、経年変化によって鍵タッチが低下せず、長期間に亘って鍵タッチをほぼ一定に保つことができる。
【００５４】
なお、上記実施形態４では、ガイドキャップ４３の上端部における前面に設けられた摩擦部３２が、鍵２の前側の内壁面２ａに直接弾接して摺動するように構成した場合について述べたが、これに限らず、例えば図１１に示す第１変形例のように、鍵２の前側に位置する内壁面２ａに、実施形態２と同様、摩擦シート３５を設け、この摩擦シート３５に鍵ガイド部４０の摩擦部３２が弾触して摺動する構成であっても良い。
【００５５】
このような鍵盤装置においても、実施形態２と同様、押鍵時にガイドキャップ４３の弾性力によって摩擦部３２が鍵２の前側の内壁面２ａに設けられた摩擦シート３５に弾力的に押し付けられて摺動するので、摩擦部３２と摩擦シート３５とによって摩擦抵抗を実施形態４よりも大きくすることができ、これにより押鍵時における鍵タッチを更に重くすることができるので、実施形態４よりもハンマー部材３における錘２４の重量を軽くすることができ、より一層、鍵盤装置全体の重量を軽くすることができる。
【００５６】
また、上記実施形態４およびその第１変形例では、摩擦部３２が鍵２の前側の内壁面２ａまたはその内壁面２ａの摩擦シート３５に単純に弾接して摺動するように構成した場合について述べたが、これに限らず、例えば図１２に示す第２変形例のように、鍵２の前側に位置する内壁面２ａに押鍵時に鍵２にクリック感を付与するクリック部３６を設けた構成でも良い。すなわち、クリック部３６は、鍵２の前側に位置する内壁面２ａに設けられて、鍵ガイド部４０の摩擦部３２が挿脱可能に嵌入する凹部形状に形成され、鍵２の前側の内壁面２ａにおける上部、つまり鍵２が押鍵されてスイッチ押圧部１９がスイッチ基板１１のスイッチ部４を押圧して変形させたときに、鍵ガイド部４０の摩擦部３２が嵌入する位置に設けられている。
【００５７】
この第２変形例のように構成すれば、実施形態４と同様の作用効果があるほか、鍵２の前側に位置する内壁面２ａに押鍵時に鍵２にクリック感を付与する凹部形状のクリック部３６を設けた構成であるから、鍵ガイド部４０の摩擦部３２が鍵２の前側の内壁面２ａに設けられたクリック部３６に嵌入すると、鍵荷重が急激に重くなり、鍵ガイド部４０の摩擦部３２が鍵２の前側の内壁面２ａに設けられたクリック部３６から離脱すると、鍵荷重が急激に軽くなり、これにより実施形態３と同様、押鍵時に鍵荷重が抜ける感じの鍵タッチを得ることができ、より一層、アコ―スティックピアノに近似した鍵タッチを得ることができる。
【００５８】
この場合、第２変形例では、鍵２の前側に位置する内壁面２ａに押鍵時に鍵２にクリック感を付与する凹部形状のクリック部３６を設けた場合について述べたが、これに限らず、例えば鍵２の前側に位置する内壁面２ａに押鍵時に鍵２にクリック感を付与する凸部形状のクリック部を設けても良い。このように構成しても、鍵ガイド部４０の摩擦部３２が鍵２の前側の内壁面２ａに設けられた凸部形状のクリック部に当接すると、鍵荷重が急激に重くなり、鍵ガイド部４０の摩擦部３２が鍵２の前側の内壁面２ａに設けられた凸部形状のクリック部を乗り越えると、鍵荷重が急激に軽くなるので、第２変形例と同様、押鍵時に鍵荷重が急激に抜ける感じの鍵タッチを得ることができる。
【００５９】
さらに、上記実施形態１〜４およびその各変形例では、鍵ガイド部６、４０の各摩擦部３２が鍵盤シャーシ１上に配列された複数の鍵２にほぼ一定の摩擦抵抗を付与する場合について述べたが、これに限らず、例えば複数の鍵２のうち、高音領域側の鍵２と低音領域側の鍵２とで、鍵ガイド部６、４０の各摩擦部３２の摩擦抵抗が異なるように構成しても良い。すなわち、高音領域側の鍵２に位置する各摩擦部３２の摩擦抵抗を、低音領域側の鍵２に位置する各摩擦部３２の摩擦抵抗よりも小さくなるように構成しても良い。
【００６０】
この場合には、弾性部材３０、４１が摩擦部３２を鍵２の前側の内壁面２ａに弾力的に押し付ける弾性力を調節することにより、摩擦抵抗を変えるようしても良く、また摩擦部３２の材質を変えることにより、摩擦部３２の摩擦係数を変えて摩擦抵抗を変えるようしても良い。このように構成すれば、高音領域側の鍵２と低音領域側の鍵２とで鍵タッチ感を変えることができる。すなわち、高音領域側の鍵２の鍵荷重を、低音領域側の鍵２の鍵荷重よりも小さくすることができ、これによってもアコ―スティックピアノに近似した鍵タッチを得ることができる。
【００６１】
なおまた、上記実施形態１〜４およびその各変形例では、押鍵時に鍵２にアクション荷重を付与するハンマー部材３を備えた鍵盤装置に適用した場合について述べたが、これに限らず、ハンマー部材３を備えていない電子ピアノ、電子オルガンなどの各種の電子鍵盤楽器に広く適用することができる。
【図面の簡単な説明】
【００６２】
【図１】この発明を適用した鍵盤装置の実施形態１を示した断面図である。
【図２】図１において鍵を押鍵した状態の断面図である。
【図３】図１のＡ部を示した拡大断面図である。
【図４】図３のＡ−Ａ矢視における要部の拡大断面図である。
【図５】この発明を適用した鍵盤装置の実施形態２を示した断面図である。
【図６】この発明を適用した鍵盤装置の実施形態３を示した断面図である。
【図７】図６の鍵盤装置における鍵ストロークと鍵荷重との特性を示した図である。
【図８】この発明を適用した鍵盤装置の実施形態４を示した断面図である。
【図９】図８のＢ部を示した拡大断面図である。
【図１０】図９のＢ−Ｂ矢視における要部の拡大断面図である。
【図１１】図８の実施形態４の第１変形例を示した断面図である。
【図１２】図８の実施形態４の第２変形例を示した断面図である。
【符号の説明】
【００６３】
１  鍵盤シャーシ
２  鍵
３  ハンマー部材
６、４０  鍵ガイド部
１２  鍵支持部
３０、４１  弾性部材
３１  摺動部
３２  摩擦部
３３  弾性支持部
３４、４３  ガイドキャップ
３５  摩擦シート
３６  クリック部
４２  支持部
【図１】
2008145819.tif 000003
【図２】
2008145819.tif 000004
【図３】
2008145819.tif 000005
【図４】
2008145819.tif 000006
【図５】
2008145819.tif 000007
【図６】
2008145819.tif 000008
【図７】
2008145819.tif 000009
【図８】
2008145819.tif 000010
【図９】
2008145819.tif 000011
【図１０】
2008145819.tif 000012
【図１１】
2008145819.tif 000013
【図１２】
2008145819.tif 000014